(57)【要約】【課題】スッキリとした外観の天井面を形成させることができて、室内で良好に水浴びすることのできるユニットルームを提供する。【解決手段】天井３に開口された作業口４を覆蓋する天井作業口蓋５に室内側に吐水する吐水口６，６，６を設け、この吐水口６，６へ給水・給湯するための天井裏配管７の少なくとも一部を可撓性配管で構成する。【選択図】図１
2007159678.tif 000002
【特許請求の範囲】
【請求項１】
天井に開口された作業口を覆蓋する天井作業口蓋に室内側に吐水する吐水口を設け、該吐水口へ給水・給湯するための天井裏配管の少なくとも一部を可撓性配管で構成したことを特徴とするユニットルーム。
【請求項２】
前記吐水口への給湯を保温し得る保温タンクを天井裏に設けたことを特徴とする請求項１に記載のユニットルーム。
【請求項３】
前記天井作業口蓋に室内側を照らす照明が組み込まれていることを特徴とする請求項１または請求項２に記載のユニットルーム。
【発明の詳細な説明】
【技術分野】
【０００１】
本発明は、洗い場の天井に、吐水口付きの天井作業口蓋を設けたユニットルームに関するものである。
【背景技術】
【０００２】
従来、特許文献１に開示されているように、洗い場上方の天井パネルに長孔を設け、この長孔に、シャワーノズルを取り付けできるシャワーノズルカバーと作業孔カバーを取り外し自在に設けたものが存在する。
【特許文献１】実公平７−２７３２０号公報
【発明の開示】
【発明が解決しようとする課題】
【０００３】
上記特許文献１に開示されている構造では、天井裏への配管施工が難しく、また、シャワーノズルカバーを取り外す場合等には配管を取り外さなければならず、メンテナンス等を実施しにくいものであった。
【課題を解決するための手段】
【０００４】
本発明は上記従来の問題点に鑑み案出したものであって、天井作業口蓋を容易に開閉して天井裏の作業をすることができ、しかも、天井の美観を損なわずに洗い場で水浴びし易いユニットルームを提供せんとするものであり、その請求項１は、天井に開口された作業口を覆蓋する天井作業口蓋に室内側に吐水する吐水口を設け、該吐水口へ給水・給湯するための天井裏配管の少なくとも一部を可撓性配管で構成したことである。
また、請求項２は、前記吐水口への給湯を保温し得る保温タンクを天井裏に設けたことである。
また、請求項３は、前記天井作業口蓋に室内側を照らす照明が組み込まれていることである。
【発明の効果】
【０００５】
本発明のユニットルームは、天井に開口された作業口を覆蓋する天井作業口蓋に室内側に吐水する吐水口を設け、該吐水口へ給水・給湯するための天井裏配管の少なくとも一部を可撓性配管で構成したことにより、可撓性配管が天井作業口蓋に接続されているため、天井作業口蓋を開ける際に天井裏の配管を取り外す必要がなく、容易に天井作業口蓋を開けて作業口から天井裏の作業をすることができ、作業，点検等が容易なものとなる。
【０００６】
また、前記吐水口への給湯を保温し得る保温タンクを天井裏に設けたことにより、天井裏スペースを利用して保温タンクを設置することができ、保温タンクに溜めた湯を即時に吐水口から吐出させて、初期冷水をなくして快適に水浴びすることができるものとなる。
【０００７】
また、前記天井作業口蓋に室内側を照らす照明が組み込まれていることにより、天井作業口蓋から洗い場に向かって良好に照明光を発することができ、快適に洗い場で水浴びすることができるものとなる。
【実施例】
【０００８】
以下、本発明の実施例を図面に基づいて説明する。
図１は、ユニットルームの天井部分の縦断面構成図であり、ユニットルーム１は、壁パネル２，２で壁面が形成され、壁パネル２，２の上端に天井パネルで天井３が形成されて、この天井３の中央部には作業口４が開口されており、この作業口４の外周には、天井裏へ開放された上向き支持段部４ａが形成されている。
この上向き支持段部４ａに、外周に突出した当接片５ａを載せて天井作業口蓋５が作業口４に覆設されており、この天井作業口蓋５の下面には、複数の吐水口６，６，６が設けられている。
【０００９】
この天井作業口蓋５の上面に形成されている接続口５ｂには、天井裏に配管された天井裏配管７が接続されており、この天井裏配管７は蛇腹管などの可撓性配管で構成されている。この天井裏配管７には給湯管８が接続されており、給湯管８は天井裏および壁パネル２の裏側で複数の支持金具９に支持されて固定されている。この給湯管８の上流側にはミキシング部１０が設けられており、このミキシング部１０に接続されてユニットルーム１の室内側に水栓操作部１１が設けられている。
【００１０】
この水栓操作部１１を室内側から操作することにより、ミキシング部１０で適温の湯にして、給湯管８を通し、さらに天井裏配管７を通して、天井作業口蓋５の吐水口６，６，６から室内にシャワーを噴出させることができ、ユニットルーム１内で天井からのシャワーで良好に水浴びすることができるように構成されている。
なお、作業口４は天井３の中央部に設けられているため、下方側の洗い場で広い範囲に亘りシャワーを浴びて水浴びすることができるものである。
【００１１】
なお、本例では、天井裏配管７が可撓性配管で構成されているため、天井裏の配管を取り外すことなく良好に天井作業口蓋５を開閉することができるものとなり、天井作業口蓋５を開けて作業口４から天井裏を良好に作業できるものである。
なお、別途、作業口４を設ける必要がなく、天井３の中央部に開けた作業口４に、吐水口６が一体化された天井作業口蓋５をスッキリとした状態で設置して、天井の美観を向上させることができるものとなる。
【００１２】
図２は、変更例を示すものであり、図２では、天井裏に保温タンク１２を設置したもので、天井裏配管７の上流側の給湯管８内に保温タンク１２を接続して、この保温タンク１２に設けられているヒーター１２ａで保温タンク１２内の湯を適温に保温しておくことができ、吐水口６からシャワーを噴出させる初期において保温タンク１２内の湯を吐出させることができ、初期段階で冷水が吐水口６から噴出されて不快感を生ずることがなく、初期から適温の湯を吐出させて快適に水浴びすることができるものとなる。
なお、保温タンク１２は天井裏に省スペースで設置することができ、また、作業口４を開けて良好にメンテナンスすることができるものである。
【００１３】
次に、図３の拡大断面構成図で示すものは、天井作業口蓋５の変更例を示すものであり、図３の天井作業口蓋５は、内部に照明が組み込まれたものであり、さらに発電装置が組み込まれたものとなっている。
天井作業口蓋５は、上カバー５１と下カバー５２が合わせられて中空状に形成されており、上カバー５１の上面には上面板５３が覆設され、この上面板５３と上カバー５１間にステータコイル５５と複数のＬＥＤ５６，５６，５６が内装されており、上カバー５１の中央部は上方に突出して内部に軸流式水車５４が内装され、この軸流式水車５４とステータコイル５５で発電装置が構成されている。
【００１４】
なお、軸流式水車５４にはマグネットが一体的に回転できるように設けられており、軸流式水車５４の上面に天井裏配管７が接続される接続口５ｂが形成されている。
また、下カバー５２の下面にはアクリル層が溶着されて天井作業口蓋５の下面がフラットとなり美観を呈するように構成されており、アクリル層の上面側に散水板５８が取り付けられており、散水板５８には複数の吐水口６，６，６が形成されているとともに、複数の照明部５８ａ，５８ａが上下に貫通状に形成されている。この複数の照明部５８ａには、それぞれ光ファイバーケーブル５７が差し込まれており、光ファイバーケーブル５７の上端はそれぞれＬＥＤ５６に連結されている。
【００１５】
このような構成では、接続口５ｂから流入される給湯により軸流式水車５４がマグネットとともに回転し、これによりステータコイル５５で発電されてＬＥＤ５６が点灯されるものであり、ＬＥＤ５６からの光が光ファイバーケーブル５７を通って照明部５８ａから室内側へ照射されるものである。従って、天井３の中心部から室内側に向かって複数の照明部５８ａ，５８ａから照明光が照射されて室内を明るく照らすことができ、快適に吐水口６からのシャワーを浴びて室内で水浴びすることができるものとなる。
【００１６】
このように天井作業口蓋５に吐水口６とともに照明部５８ａをコンパクトに組み込むことで、スッキリとした天井を形成させることができ、別途、照明ランプを設ける必要もなく、室内がスッキリとしたものとなり、特に室内側に露出する下面はアクリル層で、極めて優れた美観を呈することとなり、天井作業口蓋５を天井３と面一状にしてスッキリとした設置状態が得られるものである。
【００１７】
なお、図４の要部縦断面図で示すように、天井作業口蓋５の当接片５ａと天井３の上向き支持段部４ａの対応する位置にそれぞれセンサー部１３を設けておき、このセンサー部１３を例えばタッチセンサーで構成して、このセンサー部１３からの信号を受けて開閉する電磁弁式ミキシング機構１０Ａを設けておけば、天井作業口蓋５を開けた時にセンサー部１３により開放状態を検知して、この場合にはミキシング機構１０Ａの電磁弁を閉じて、天井作業口蓋５を開けた時に吐水口６からシャワー水が吐出しないように構成することができる。
なお、天井作業口蓋５を閉じた状態では、ミキシング機構１０Ａ内の電磁弁が開かれて、良好に吐水口６からシャワー水を噴出させることができるものとなる。
【００１８】
なお、さらに図５に示すように、天井作業口蓋５の当接片５ａの一方側に回転ヒンジ部５ｃを設けておき、この回転ヒンジ部５ｃを中心として天井作業口蓋５を開閉できるように構成しておくこともでき、天井裏に余裕がある場合には、このような回転ヒンジ部５ｃを介し開閉できるように構成しておけば、漏水に対しより安全性が確保されるものとなる。
【００１９】
なお、図６に示すように、天井３の作業口４に室内側に下向きの下向き支持段部４ｂを形成させておき、この下向き支持段部４ｂに対し室内側へ天井作業口蓋５を回転ヒンジ部５ｃで開閉できるような構造としておいても良く、このような構造では、室内側から容易に天井作業口蓋５を開閉させることができるものとなる。
【００２０】
回転ヒンジ部５ｃによる開閉機構の他に、図７に示すように、スライド式で天井作業口蓋５を開閉できるように構成しても良く、図７に示すように、作業口４の側方の天井３の裏側に凹み状に収納凹部３ａを形成させ、この収納凹部３ａには防水トレイ３ｂを敷設させておき、作業口４を開ける際には、室内側から天井作業口蓋５を上方へ持ち上げて、その状態で横方向へスライドさせて、収納凹部３ａ内の防水トレイ３ｂ上に載せておくことができるものである。
なお、スライド式の場合は、吐水口６を天井作業口蓋５の下面に埋め込み状に形成しておくと、天井作業口蓋５の下面がフラットとなり、スライドさせて開閉させることが容易なものとなり、また、室内側からの美観も向上されるものである。
【図面の簡単な説明】
【００２１】
【図１】ユニットルームの天井部分の縦断面構成図である。
【図２】変更例を示し、保温タンクを天井裏に設置した場合の縦断面構成図である。
【図３】天井作業口蓋の変更例を示す縦断面拡大構成図である。
【図４】センサー部を設けた場合の縦断面構成図である。
【図５】回転ヒンジ部を設けて天井作業口蓋を開閉可能とした構成の縦断面構成図である。
【図６】図５の変形例を示す回転ヒンジ部を介し開閉できる天井作業口蓋の構成図である。
【図７】スライド式に移動させて開閉できる天井作業口蓋の構成図である。
【符号の説明】
【００２２】
１  ユニットルーム
２  壁パネル
３  天井
３ａ  収納凹部
３ｂ  防水トレイ
４  作業口
４ａ  上向き支持段部
４ｂ  下向き支持段部
５  天井作業口蓋
５ａ  当接片
６  吐水口
７  天井裏配管（可撓性配管）
８  給湯管
９  支持金具
１０  ミキシング部
１０Ａ  電磁弁式ミキシング機構
１１  水栓操作部
１２  保温タンク
１２ａ  ヒーター
１３  センサー部
５１  上カバー
５２  下カバー
５３  上面板
５４  軸流式水車
５５  ステータコイル
５６  ＬＥＤ
５７  光ファイバーケーブル
５８  散水板
５８ａ  照明部
【図１】
2007159678.tif 000003
【図２】
2007159678.tif 000004
【図３】
2007159678.tif 000005
【図４】
2007159678.tif 000006
【図５】
2007159678.tif 000007
【図６】
2007159678.tif 000008
【図７】
2007159678.tif 000009